(57)【要約】      （修正有）【課題】眼内レンズを保持する部材を眼球内に容易に導入できる眼内レンズ固定用器具を提供する。【解決手段】複数のハプティック２２を有する眼内レンズ２０を眼球内に固定するための眼内レンズ固定用器具は、眼球内に張られる線状部材１８と、複数のハプティック２２の各々に対応して設けられ、それぞれがハプティック２２を保持して、線状部材１８によって眼球内の空間に支持される複数のハプティック保持部１４とを備えている。複数のハプティック保持部１４の各々には、線状部材１８が固定されるとともに、可撓性を有する素材が用いられている。【選択図】図２
2019187949.tif 000002
【特許請求の範囲】
【請求項１】
複数のハプティックを有する眼内レンズを眼球内に固定するための眼内レンズ固定用器具であって、
前記眼球内に張られる線状部材と、
前記複数のハプティックの各々に対応して設けられ、それぞれが前記ハプティックを保持して、前記線状部材によって前記眼球内の空間に支持される複数のハプティック保持部とを備え、
前記複数のハプティック保持部の各々には、前記線状部材が固定されるとともに、可撓性を有する素材が用いられている、眼内レンズ固定用器具。
【請求項２】
前記ハプティック保持部は、ハプティックを挿入する入口が形成された袋状の部材である、請求項１に記載の眼内レンズ固定用器具。
【請求項３】
前記ハプティック保持部には、袋内と袋外とを連通させる連通孔が形成されている、請求項２に記載の眼内レンズ固定用器具。
【請求項４】
前記ハプティック保持部は、網状の部材により形成されている、請求項１又は２に記載の眼内レンズ固定用器具。
【請求項５】
前記ハプティック保持部には、位置調節用のマークが設けられている、請求項１乃至４の何れか１つに記載の眼内レンズ固定用器具。
【請求項６】
前記複数のハプティック保持部の各々は、針が取り付けられた前記線状部材が固定されている、請求項１乃至５の何れか１つに記載の眼内レンズ固定用器具。
【発明の詳細な説明】
【技術分野】
【０００１】
本発明は、眼内レンズの固定に用いられる眼内レンズ固定用器具等に関する。
【背景技術】
【０００２】
眼内レンズ（Intraocular lens、以下「ＩＯＬ」という場合がある。）を用いた水晶体再建術が、白内障手術として広く行われている。水晶体再建術では、超音波乳化吸引術によって水晶体が吸引されて空隙化した水晶体嚢の中に、眼内レンズが固定される。しかし、水晶体再建術において水晶体嚢が破損又は消失する場合がある。このような場合、眼内レンズ強膜内固定術、又は、眼内レンズ毛様溝縫着術といった手術法によって眼内レンズを固定できるが、これらの手術法は難易度が高い手術手技が必要である。
【０００３】
特許文献１には、眼内レンズを縫着することなく安定して固定できる眼内固定用補助具が記載されている。この眼内固定用補助具は、毛様体溝に円周状に固定される第１の保持部と、眼内レンズを受け且つ保持するための第２の保持部と、第１の保持部と第２の保持部とを一体的に結合する結合部とからなる。
【０００４】
また、特許文献２には、調節ＩＯＬを支持するための支持具が記載されている。支持具は、調節ＩＯＬを収容する枠部と、毛様溝から挿入されて強膜の外表面に掛止される屈曲部が設けられた脚部とを備える。調節ＩＯＬは、複数のレンズの連結部が枠部から側方に突出して毛様体に当接した状態で支持される。
【先行技術文献】
【特許文献】
【０００５】
【特許文献１】特開２０００−２４５７５５号公報
【特許文献２】特開２０１５−２２３３４１号公報
【発明の概要】
【発明が解決しようとする課題】
【０００６】
しかし、従来の眼内レンズ固定用器具は、眼内レンズを保持する部材が比較的大きく、眼球内に導入することが容易ではない。
【０００７】
本発明は、このような事情に鑑みてなされたものであり、眼内レンズを保持する部材を眼球内に容易に導入できる眼内レンズ固定用器具を提供することを目的とする。
【課題を解決するための手段】
【０００８】
上述の課題を解決するべく、第１の発明は、複数のハプティックを有する眼内レンズを眼球内に固定するための眼内レンズ固定用器具であって、眼球内に張られる線状部材と、複数のハプティックの各々に対応して設けられ、それぞれがハプティックを保持して、線状部材によって眼球内の空間に支持される複数のハプティック保持部とを備え、複数のハプティック保持部の各々には、線状部材が固定されるとともに、可撓性を有する素材が用いられている、眼内レンズ固定用器具である。
【０００９】
第２の発明は、第１の発明において、ハプティック保持部は、ハプティックを挿入する入口が形成された袋状の部材である。
【００１０】
第３の発明は、第２の発明において、ハプティック保持部には、袋内と袋外とを連通させる連通孔が形成されている。
【００１１】
第４の発明は、第１又は第２の発明において、ハプティック保持部は、網状の部材により形成されている。
【００１２】
第５の発明は、第１乃至第４の何れか１つの発明において、ハプティック保持部の外面には、位置調節用のマークが設けられている。
【００１３】
第６の発明は、第１乃至第５の何れか１つの発明において、複数のハプティック保持部の各々は、針が取り付けられた線状部材が固定されている。
【発明の効果】
【００１４】
本発明では、針部材が接続された線状部材を眼球の強膜に通していくと、線状部材に固定されて引っ張られたハプティック保持部が、線状部材が通る針孔に差し掛かる。ここで、可撓性を有するハプティック保持部は、強膜の針孔を通過可能に形成することが可能であり、それにより針孔を通して眼球内に導入することが可能である。この時の線状部材を引っ張る作業は容易である。本発明によれば、眼内レンズを保持するハプティック保持部を眼球内に容易に導入できる眼内レンズ固定用器具を提供することができる。
【図面の簡単な説明】
【００１５】
【図１】図１は、実施形態に係る眼内レンズ固定用器具の概略構成図（斜視図）である。
【図２】図２は、眼内レンズ固定用器具によって眼内レンズが固定されている状態を正面から見た図である。
【図３】図３は、眼内レンズ固定用器具によって眼内レンズが固定されている状態を側方から見た図である。
【図４】図４は、眼内レンズ固定用器具の使用方法について、第１レンズ支持部を設置するための手順を説明するための図である。
【図５】図５は、眼内レンズ固定用器具の使用方法について、一対のハプティックを一対のハプティック保持部に挿入するまでの手順を説明するための図である。
【図６】図６は、眼内レンズ固定用器具の使用方法について、ハプティック保持部の位置を固定するまでの手順を説明するための図である。
【図７】図７は、変形例１に係る眼内レンズ固定用器具のレンズ支持部の概略構成図（斜視図）である。
【図８】図８は、変形例２に係る眼内レンズ固定用器具のレンズ支持部の概略構成図（斜視図）である。
【図９】図９は、変形例３に係る眼内レンズ固定用器具の概略構成図（斜視図）である。
【図１０】図１０は、変形例４に係る眼内レンズ固定用器具によって眼内レンズが固定されている状態を正面から見た図である。
【図１１】図１１は、変形例５に係る眼内レンズ固定用器具のレンズ支持部の要部の概略構成図（斜視図）である。
【図１２】図１２は、変形例６に係る眼内レンズ固定用器具のレンズ支持部の要部の概略構成図（斜視図）である。
【図１３】図１３は、変形例６に係るレンズ支持部を側方から見た図である。
【発明を実施するための形態】
【００１６】
以下、図１−図１３を参照しながら、本発明の実施形態を詳細に説明する。なお、以下の実施形態は、本発明の一例であって、本発明、その適用物、あるいはその用途の範囲を制限することを意図するものではない。
【００１７】
［眼内レンズ固定用器具の構成］
眼内レンズ固定用器具１０は、例えば、水晶体再建術において水晶体嚢が破損又は消失した場合に眼内レンズ２０を固定するために用いられる器具である。眼内レンズ固定用器具１０は、レンズ部２１に対し複数のハプティック２２が設けられた眼内レンズ２０に適用することができる。本実施形態に係る眼内レンズ２０では、２つのハプティック２２がレンズ部２１の外周面から外側に突出している（図２参照）。２つのハプティック２２は、レンズ部２１の中心に対し点対称に設けられている。
【００１８】
眼内レンズ固定用器具１０は、図１に示すように、それぞれがハプティック保持部１４を有する一対のレンズ支持部１２により構成されている。各ハプティック保持部１４は、眼内レンズ２０の一対のハプティック２２にそれぞれ対応している。眼内レンズ固定用器具１０は、図２に示すように、眼球３０内において一対のハプティック保持部１４の入口１５が互いに対向するように配置される。そして、眼内レンズ固定用器具１０は、一対のハプティック保持部１４によって一対のハプティック２２をそれぞれ保持することで、眼球３０内に眼内レンズ２０を固定する。なお、図２は、眼球３０の正面から見た図であるが眼球３０内を実線で示している。また、各ハプティック保持部１４にはハッチングを付けている。
【００１９】
また、前後方向の位置（深度）について、図３に示すように、一対のハプティック保持部１４は眼球３０内における虹彩の少し後ろ側の位置に配置され、眼内レンズ２０は毛様体の内側の位置で固定される。以下、眼内レンズ固定用器具１０について詳述する。
【００２０】
各レンズ支持部１２は、上述のハプティック保持部１４に加え、図１に示すように、一端部がハプティック保持部１４に接続されて他端部が針部材１６ａ，１６ｂに接続された２本の線状部材１８を備えている。線状部材１８としては糸（張力糸）が用いられている。一方の線状部材１８の針部材１６ａは、線状部材１８及びハプティック保持部１４を眼球３０内に導入するための針（貫通用の直針）であり、先端部が少し曲がった針（例えば、太さが０．４〜０．６ｍｍ程度で長さが１５ｍｍ程度の針）が用いられる。他方の線状部材１８の針部材１６ｂは、縫合のみに用いられる針であり、例えば、湾曲した手術用（眼科用）縫合針（例えば、太さが０．４〜０．６ｍｍ程度の縫合針）が用いられている。また、２本の線状部材１８は、眼球３０内に張られて眼球３０内に導入されたハプティック保持部１４を浮いた状態で支持する。
【００２１】
一対のハプティック保持部１４は、水晶体嚢に代わって眼内レンズ２０のハプティック２２を保持して眼内レンズ２０の動きを拘束するための部材である。各ハプティック保持部１４は、ハプティック２２を挿入するための入口１５が形成された袋状部材（具体的には、ハンモック状部材）である。なお、以下では、各ハプティック保持部１４について、入口１５となる内側部分の延伸方向を「長さ方向」と言い、その延伸方向に直交する方向を「幅方向」と言う。
【００２２】
各ハプティック保持部１４の外周形状は、平面視において、入口１５となる略直線状の内側部分と、その内側部分の両端間を延びて外側に膨らむ曲線状の外側部分とにより構成されている。なお、内側部分は、例えば外側部分より曲率が小さい曲線状であってもよい。また、各ハプティック保持部１４は、同一形状の２枚のシート１４ａ，１４ｂを備え、入口１５の形成箇所を除いて２枚のシート１４ａ，１４ｂの外周部を互いに接合することによって形成されている。
【００２３】
具体的に、各ハプティック保持部１４は、図２に示すように、平面視において三日月状に形成されている。各ハプティック保持部１４は、三日月状の２枚のシート１４ａ，１４ｂの外周部が円弧に沿って互いに接合されることによって形成されている。２枚のシート１４ａ，１４ｂの接合は、例えば熱溶着によって行われているが、他の接合手法を採用してもよい。各ハプティック保持部１４は、円弧に沿う部分以外の外周部が未接合であり、その未接合の箇所が入口１５となっている。
【００２４】
各ハプティック保持部１４の寸法について、例えば、長さ方向の寸法（入口１５の長さ）は約８ｍｍであり、幅方向の寸法は約２ｍｍである。また、各ハプティック保持部１４の円弧の直径は、約１０ｍｍである。なお、各ハプティック保持部１４の寸法は、この段落の数値に限定されない。各ハプティック保持部１４の寸法は、眼内レンズ２０を固定する状態の一対のハプティック保持部１４の円弧部分が水晶体嚢と同程度の大きさとなるように設計されている。
【００２５】
各ハプティック保持部１４における各シート１４ａ，１４ｂには、薄くて柔軟性がある素材（可撓性を有する素材の一例）が用いられている。例えば各シート１４ａ，１４ｂは樹脂製である。各シート１４ａ，１４ｂには、例えば、厚さ４μｍのプロピレン膜が用いられている。針部材１６ａを通過させる強膜３１の針孔１７に対し、各ハプティック保持部１４は変形して通過可能に形成されている。
【００２６】
また、各ハプティック保持部１４では、図１に示すように、長さ方向の両端部にそれぞれ線状部材１８の一端部が接合されている。線状部材１８の接合は、例えば熱溶着によって行われているが、他の接合手法を採用してもよい。各線状部材１８には、細い手術用縫合糸（例えば、０．０２〜０．４ｍｍの樹脂製の縫合糸）が用いられている。各線状部材１８の材料には、例えばポリプロピレン（例えば、９−０ポリプロピレン）、ポリエステル、ＰＧＡ、又はナイロンなどを用いることができる。各線状部材１８の他端部は、針部材１６ａ，１６ｂの根元に取り付けられている。
【００２７】
また、各ハプティック保持部１４には、眼球３０内における位置調節用のマーク１３（センターマーク）が形成されている。マーク１３は、シート１４ａにおいて内側に窪む凹部により形成されている（図１の楕円内の断面図参照）。マーク１３を凹部としたのは、マーク１３が虹彩に当たることを避けるためである。マーク１３は、凹部以外に、貫通孔（穴）、ノッチ、凸部又はインク印刷により形成することができる。眼球３０の外側から見る手術者にとって、ハプティック保持部１４は部分的に虹彩に隠れて見えにくくなる虞がある。マーク１３は、眼球３０の外側から、眼球３０内におけるハプティック保持部１４の位置を把握しやすいように設けられている。マーク１３は、ハプティック保持部１４の外周より内側の領域に配置される。図２では、マーク１３は、例えば、円形であり、ハプティック保持部１４の入口１５近傍の中央（長さ方向の中央）に設けられている。なお、ハプティック保持部１４において、別の位置にマーク１３を設けてもよいし、マーク１３を省略してもよい。
【００２８】
［眼内レンズ固定用器具の使用方法］
図４〜図６を参照しながら、眼内レンズ固定用器具１０の使用方法について説明する。なお、本実施形態に係る眼内レンズ固定用器具１０は、眼球３０内に眼内レンズ２０が落下した場合（眼内レンズ脱臼の場合）又は眼球３０内に眼内レンズ２０を眼外から挿入する場合の何れにも適用することができる。以下では、前者についてシングルピース多焦点ＩＯＬ２０が落下した場合を例にして説明を行う。
【００２９】
なお、以下では、一対のレンズ支持部１２の一方を第１レンズ支持部１２と言い、他方を第２レンズ支持部１２と言う。また、図面について、図４−６は、眼球の正面から見た図であるが、図４は眼球３０外を実線で示し且つ眼球３０内を波線で示し、図５−６は眼球３０外を波線で示し且つ眼球３０内を実線で示している。また、本使用方法による水晶体再建術では、眼内レンズ固定用器具１０の設置に先立って、硝子体茎の切除と、眼内レンズ２０に付着する組織の切除とが順番に行われている。
【００３０】
まず、手術者は、第１レンズ支持部１２についてハプティック保持部１４を眼球３０内に導入する作業を行う。具体的に、手術者は、対面通糸法を用いて、図４（ａ）に示すように、眼球３０に対し針部材１６ａを通していく。対面通糸法について説明すると、手術者は、眼球３０の外側から内側に針部材１６ａを通す。次に、その針部材１６ａを通した位置と左右対称の位置から眼球３０の外側から内側に通した迎え針（図示省略）に対し、針部材１６ａを内側に挿入する。迎え針は中空構造である。そして、針部材１６ａと共に迎え針を外側に引き抜くことで、容易に所望の位置から針部材１６ａを眼球３０の内側から外側に出すことができる。針部材１６ａを通した２箇所には、針孔１７がそれぞれ形成される。
【００３１】
なお、針部材１６ａを通す位置は、固定後の眼内レンズ２０のレンズ部２１にハプティック保持部１４が重ならないように決められる。例えば、レンズ部２１の直径が６ｍｍ〜７ｍｍの場合、針部材１６ａは、眼球３０の中心から３〜４ｍｍ上側で、左右ともに眼球３０の強膜３１における角膜３２の少し外側の位置（例えば角膜３２の外周から１．５ｍｍ〜２ｍｍの位置）に通される。
【００３２】
そして、手術者が針部材１６ａを引っ張っていくと、図４（ｂ）に示すように、ハプティック保持部１４が、端部から収縮（変形）して細くなって針孔１７（左側の針孔１７）に入り、針孔１７を通過する。作業者は、眼球３０における左右方向の略真ん中にハプティック保持部１４が到達するまで針部材１６ａを右側に引っ張る。これにより、第１レンズ支持部１２は、図４（ｃ）に示すように、眼球３０内において、２箇所の針孔１７の間に架け渡された２本の線状部材１８によって、ハプティック保持部１４が吊られた状態に設けられる。そして、この状態で作業者は、ハプティック保持部１４の内側に入口１５から水を入れてハプティック保持部１４を広げる。なお、水の代わりに、ヒアルロン酸などを含むゲル状の流体を用いることもできる。
【００３３】
次に、手術者は、第２レンズ支持部１２についてハプティック保持部１４を眼球３０内に導入する作業を行う。第２レンズ支持部１２は、第１レンズ支持部１２と同様の手順で、眼球３０の中心に対し第１レンズ支持部１２に上下対称に設けられる。第２レンズ支持部１２は、図５（ａ）に示すように、眼球３０内において、眼球３０の中心より３〜４ｍｍ下側の２箇所の針孔１７の間に架け渡された２本の線状部材１８によって、ハプティック保持部１４が吊り下げられた状態に設けられる。第２レンズ支持部１２は、第１レンズ支持部１２に対し略平行に設けることが好ましい。
【００３４】
次に、手術者は、眼球３０の強膜３１に形成した切開口を通して眼球３０内に入れた眼内鉗子（図示省略）によって、眼球３０内に落下した眼内レンズ２０を拾い上げる。そして、手術者は、図５（ｂ）に示すように、一方のハプティック２２を一方のハプティック保持部１４に対し入口１５から挿入していく。その際、ハプティック保持部１４はハプティック２２によって押し広げられる。さらに、図５（ｃ）に示すように、他方のハプティック２２を他方のハプティック保持部１４に対し入口１５から挿入していく。同様に、他方のハプティック保持部１４は押し広げられる。
【００３５】
次に、眼球３０の中心に対し眼内レンズ２０の中心がずれている場合に、手術者は、眼球３０の中心に対し眼内レンズ２０の中心が略一致するように、眼内レンズ２０を動かして位置調整をする。図６（ａ）は、眼内レンズ２０の位置調整後の状態を示す。
【００３６】
最後に、手術者は、眼球３０の外側において、各針孔１７のすぐ外側の位置の強膜３１に線状部材１８を縫着して結び目１９（図６（ｂ）参照）を作成し、その結び目１９から外側の線状部材１８を切断する。これにより、各ハプティック保持部１４の位置が固定され、各ハプティック保持部１４によって眼内レンズ２０の位置は保持される。さらに、手術者は、ピンセットの挿入口として用いた切開口を縫合する。以上により、水晶体再建術は終了する。
【００３７】
［実施形態の効果等］
本実施形態では、眼内レンズ２０のハプティック２２を保持するハプティック保持部１４が、柔軟な素材を用いた袋状の部材であり、ハプティック保持部１４に固定された線状部材１８が通る針孔１７を通すことができ、その針孔１７から眼球３０内に導入することができる。そのため、切開創を形成することなく、線状部材１８を引っ張るだけで容易にハプティック保持部１４を眼球３０内に導入することができる。
【００３８】
また、本実施形態では、線状部材１８を引っ張るだけで、各ハプティック保持部１４の位置調節を行うことができる。特に、各ハプティック保持部１４に設けられたマーク１３が、手術者から視認できる位置に設けられているため、手術者はマーク１３の位置を見ながら、各ハプティック保持部１４を水晶体嚢と略同じ位置に設けることができる。これにより、眼内レンズ２０は所定の位置に保持される。
【００３９】
また、本実施形態では、眼内レンズ２０の各ハプティック２２が袋状のハプティック保持部１４によってソフトに保持される。各ハプティック２２が眼内組織に接触しない。ここで、シングルピース多焦点ＩＯＬ２０は、ハプティック２２が太く炎症を惹起させやすい。また、ハプティック２２は、軟らかい素材（例えば軟性アクリルゲル）が用いられており、縫合糸を直接的に結び付けると断裂する虞がある。すなわち、シングルピース多焦点ＩＯＬ２０は、眼内レンズ強膜内固定術、又は、眼内レンズ毛様溝縫着術の何れにも向いていない。これらの手法は、固定できる眼内レンズ２０の種類が限定される。それに対し、本実施形態では、このようなシングルピース多焦点ＩＯＬ２０について、これらの手術法を採用せずに、各ハプティック２０が眼内組織に接触しない新たな手術法（平行棒（平行糸）縫着法）を採用している。そのため、眼内組織の炎症を抑制することができる。また、本実施形態によれば、シングルピース多焦点ＩＯＬ２０を含めて様々な種類の眼内レンズ２０に適用することができる。
【００４０】
また、本実施形態では、強膜３１において針部材１６ａを通す位置に応じて、前後方向において一対のハプティック保持部１４の設置位置（深度）を決めることができる。ここで、特許文献１や特許文献２に記載の器具では、眼内レンズの保持部の設置位置が限定され、眼内レンズの深度が限定される。それに対し、本実施形態では、任意の深度に眼内レンズ２０を固定することができる。
【００４１】
また、本実施形態では、眼球３０内に眼内レンズ２０を外側から挿入する場合だけでなく、眼球３０内に落下した眼内レンズ２０を摘出せずに固定することができる。すなわち、眼内操作だけで眼内レンズ２０の整復を完結させることができる。
【００４２】
［変形例１］
本変形例では、図７に示すように、各ハプティック保持部１４の各シート１４ａ，１４ｂに、袋内と袋外とを連通させる連通孔２４が形成されている。連通孔２４は複数個設けられている。各連通孔２４は、ハプティック２２の先端側の横断面よりも小さく、ハプティック２２が通過できない大きさに形成されている。本変形例によれば、連通孔２４によって各ハプティック保持部１４が盲端構造ではなくなるため、各ハプティック保持部１４内において細菌が繁殖しにくい。また、抗生剤等の薬剤を各ハプティック保持部１４内に効率よく供給することができる。なお、連通孔２４は、円弧上の外周部寄りの位置に少なくとも形成すればよく、入口１５寄りの位置にも形成してもよい。
【００４３】
［変形例２］
本変形例では、図８に示すように、各ハプティック保持部１４が、網状で袋状の部材により形成されている。各ハプティック保持部１４の網目は、ハプティック２２の先端側の横断面よりも小さく、ハプティック２２が通過できない大きさである。本変形例によれば、各ハプティック保持部１４内において細菌が繁殖しにくい。また、抗生剤等の薬剤を各ハプティック保持部１４内に効率よく供給することができる。
【００４４】
［変形例３］
本変形例では、一対のハプティック保持部１４が、図９に示すように、線状部材１８によって互いに接続されて一体化されている。つまり、２つのハプティック保持部１４が、２つの針部材１６ａ，１６ｂ間の１本の糸状体に設けられている。この場合、各針部材１６ａ，１６ｂを先頭にして各ハプティック保持部１４を眼球３０内に導入することができる。それにより、片側の強膜縫合が不要となる。
【００４５】
［変形例４］
本変形例では、各ハプティック保持部１４が、袋状以外の形状の部材により形成されている。図１０に示すように、各ハプティック保持部１４は、ハプティック２２の引っ掛ける複数個の輪状部により構成されている。具体的に、各ハプティック保持部１４は、縫合糸を結ぶことで作成された８の字状部分（可撓性を有する部分）である。ハプティック２２は、２つの輪状部によって保持される。なお、図１０は、眼球３０の正面から見た図であり眼球３０内を実線で示している。
【００４６】
［変形例５］
本変形例では、線状部材１８が、各ハプティック保持部１４の入口１５の縁に沿って取り付けられている。例えば、各ハプティック保持部１４では、図１１に示すように、各シート１４ａ，１４ｂにおける入口１５の縁に細穴１５ａが形成されている。細穴１５ａは、例えばシート１４ａ，１４ｂを折り返すことによって形成されている。線状部材１８は、ハプティック保持部１４の一端部で２本に分かれて、それぞれが別々のシート１４ａ，１４ｂの細穴１５ａに通されて、ハプティック保持部１４の他端部で合わさっている。線状部材１８は、ハプティック保持部１４に固定されている。
【００４７】
なお、線状部材１８は、両方のシート１４ａ，１４ｂの入口１５に沿って設ける必要はなく、片方のシート１４ａの入口１５に沿って設けて固定してもよい。この場合は、線状部材１８は、ハプティック保持部１４の両端間で分かれない。また、シート１４ａに細穴１５ａを形成せずに、シート１４ａの入口１５に沿って線状部材１８を固定してもよい。
【００４８】
［変形例６］
本変形例では、線状部材１８が、樹脂製又は金属製などの細い棒状部材に形成されている。また、図１２に示すように、ハプティック保持部１４に対し、線状部材１８を固定する縁部材２５（例えば、樹脂製の部材）を取り付けてもよい。縁部材２５は、入口１５に沿って全周囲に設けられる。なお、縁部材２５を用いずに、ハプティック保持部１４に線状部材１８（棒状部材）を固定してもよい。また、線状部材１８として上述の実施形態のように糸状部材を用いる場合に、ハプティック保持部１４に縁部材２５を取り付けてもよい。
【００４９】
ここで、線状部材１８として棒状部材を用いる場合、眼球３０の内側にレンズ支持部１２を架け渡してハプティック保持部１４の位置調節を行った後に、図１３（ａ）に示す加熱用器具２６を用いて線状部材１８を加熱し、図１３（ｂ）に示す止め部１９を形成する加熱端処理を施してもよい。これにより、ハプティック保持部１４の位置を容易に固定することができる。なお、加熱端処理は、線状部材１８が棒状部材の場合に限定されず、線状部材１８が糸状部材の場合にも適用することができる。
【００５０】
［変形例７］
上記実施形態では、眼内レンズ固定用器具１０において線状部材１８に針部材１６ａ，１６ｂが取り付けられていたが、製品としては針部材１６ａ，１６ｂが取り付けられていない状態で、手術者などによって針部材１６ａ，１６ｂが後付けされてもよい。
【産業上の利用可能性】
【００５１】
本発明は、眼内レンズの固定に用いられる眼内レンズ固定用器具等に適用可能である。
【符号の説明】
【００５２】
１０    眼内レンズ固定用器具
１２    レンズ支持部
１４    ハプティック保持部
１６ａ，１６ｂ  針部材
１８    線状部材
２０    眼内レンズ
２１    レンズ部
２２    ハプティック
【図１】
2019187949.tif 000003
【図２】
2019187949.tif 000004
【図３】
2019187949.tif 000005
【図４】
2019187949.tif 000006
【図５】
2019187949.tif 000007
【図６】
2019187949.tif 000008
【図７】
2019187949.tif 000009
【図８】
2019187949.tif 000010
【図９】
2019187949.tif 000011
【図１０】
2019187949.tif 000012
【図１１】
2019187949.tif 000013
【図１２】
2019187949.tif 000014
【図１３】
2019187949.tif 000015